(57)【特許請求の範囲】
【請求項１】
周波数シンセサイザ無線受信機に対するプログラミング方法において、
前記受信機は、前記受信機の同調手段の周波数を調整するよう構成されたデジタルデータを保持する再書き込み可能なメモリを有しており、前記データは、オペレータには既知の順序付けられたリストに現れる放送プログラムをオペレータが選択することにより呼び出される形式であり、
公衆電話網（６）を使用して、数個の受信地域に対して前記再書き込み可能なメモリをプログラミングするのに適したデータセットを保持しているローディングセンターに対する呼び出しを行い、前記メモリ（１４）内に前記データをダウンロードし、
前記ダウンロードされるデータは電話呼び出し元の地域に依存する
ことを特徴とする受信機に対するプログラミング方法。
【請求項２】
前記受信機（１）に関連付けられた赤外線遠隔制御ボックス（３）との通信を確立するために使用される電話機（５）の送受器（７）を接続する
請求項１記載の方法。
【請求項３】
前記ローディングセンターと前記受信機のデジタル制御回路との間に双方向リンクを形成する
請求項１または２記載の方法。
【請求項４】
前記データのダウンロードは、音響カップラーおよび変復調器を使用する
請求項１から３までのいずれか１項記載の方法。
【請求項５】
前記数個の受信地域に対して再書き込み可能なメモリをプログラミングするのに適したデータセットを含むダウンロードセンターを有し、
前記受信機（１）内のデジタル制御回路（１３，１４，１５，２）は、周波数シンセサイザチューナ（１０）を同調するために必要なデータをダウンロードするのに特に適した手段によって前記公衆網（６）に属する電話機（５）に一時的に接続され、
前記ダウンロードされるデータは電話呼び出し元の地域に依存する
ことを特徴とする請求項１から４までのいずれか１項記載の方法を実施するための装置。
【請求項６】
請求項１から４までのいずれか１項記載の方法を実施するための、遠隔制御装置（３）が付属した受信機において、
前記受信機（１）内のデジタル制御回路（１３，１４，１５，２）は、周波数シンセサイザチューナ（１０）を同調するために必要なデータをダウンロードするのに特に適した手段によって前記公衆網（６）に属する電話機（５）に一時的に接続され、
前記ダウンロードされるデータは電話呼び出し元の特定に依存し、
付属の前記遠隔制御装置（３）は、ユーザが電話呼び出し元の地域に関する情報を入力するためのキーボートを含んでいる
ことを特徴とする受信機。
【発明の詳細な説明】
【０００１】
【産業上の利用分野】
本発明は、周波数シンセサイザ無線受信機、ならびにこの受信機に対するプログラミング方法および装置に関する。
【０００２】
【従来の技術】
メモリ手段は、所定の地域において受信されるようになっている放送プログラムを、簡単にそれをその番号によって選択することによって選択するために使用されるデータ格納している。テレビジョンプログラムは、所定の搬送周波数に相応する、番号付けられたチャネルに分割された周波数割り当てプランにしたがって短波において放送される。異なった地理上の地域間での干渉を防止するために、同じプログラムが種々異なったチャネルにおいて分配される。それ故に、テレビジョン受像機またはＶＴＲのような周波数シンセサイザ受信機を、工場の出荷段階で独自にかつ最終的にプログラムすることは不可能である。したがってプログラミングは、ローカル条件を満足するために、取付けの間に行われなければならない。情報を与えられていないユーザは受信機をプログラミングすることは困難であるかもしれないので、ユーザに、特定の地域において使用されるようにプログラミングされている集積されたメモリ回路を提供することが望ましい。この解決法にはコントロールすべき回路の分類が必要であり、このために製品分配が複雑化になる。ユーザによるこの種の回路の挿入は誤りの原因になりかねないし、さらには別の地域に移動するときそれを変えることは別の複雑な操作が必要である。ユーザの側におけるプリプログラミングは、例えばバーコードリーダまたはプログラミングガイドと関連付けられたデジタルキーボードなど種々の手段を使用して行うことができる。さらに、このためにユーザはいくつかの操作を行ってかつ種々のプログラミングオプションを表しているドキュメントを参照する必要がある。
【０００３】
今日、誰でも公衆の電話の使用を熟知しておりかつあらゆる種類の情報を得るためにどこからでも課金されずにアクセスすることができる電話サービスがある。新しいかつ特別容易に実行されるダウンロード方法がこの考察の基礎になっている。
【０００４】
【発明が解決しようとする課題】
本発明の課題は、公衆電話網の使用に基づいたダウンロード方法を提供することであり、その際ユーザは任意の番号または登録された番号で受信機を呼び出し、その結果ユーザは電話線を介してその地域に該当するプログラミングデータを使用することができるようにしたい。
【０００５】
【課題を解決するための手段】
上記課題は、本発明により、前記データが、オペレータには既知の順序付けられたリストに現れる放送プログラムを選択することにより呼び出される形式のプログラミング方法において、公衆電話網を使用して、数個の受信地域に対して前記再書き込み可能なメモリをプログラミングするのに適したデータセットを保持しているローディングセンターに対する呼び出しを行い、前記メモリ内に前記データをダウンロードし、前記データを電話呼び出し源の表示に依存させることにより解決される。
【０００６】
本発明の別の課題は、本発明の方法を実現するために構成された変復調器手段を備えた無線受信機を提供することである。
【０００７】
【実施例】
次に本発明を図示の実施例につき図面を用いて詳細に説明する。
【０００８】
図１には、ウィンドウ２を介して受信される変調された赤外線放射によって遠隔制御されるテレビジョン受像機またはＶＣＲのような無線受信機１が示されている。この赤外線放射は、一般にキーパッドおよびディスプレイ装置４を含んでいる遠隔制御ボックス３によって放出される。この遠隔制御ボックス３は、適当なメニューを有するテレビジョンスクリーン上に現れるインデックスに基づいて動作する制御ハンドルを含んでいるようにすることもできる。
【０００９】
図１に示されている実施例においては、遠隔制御ボックスは、それぞれ送受器７のイヤホンおよびマイクロホンを収容するように設計されている２つの受容部ＭおよびＥを含んでいる。受容部Ｍは内部マイクロホンに接続されており、かつ受容部Ｅは内部イアホンに接続されている。これら２つの電気音響変換器は、赤外線放射の変調により命令を送信するために使用されるマイクロプロセッサ回路とのインタフェースを形成する変復調器（ＭＯＤＥＭ）に接続されている。送受器７のイヤホンからのデータのみが受信機をプログラムするために使用され、反対方向における電話リンクの能力を有しない、一層簡単でかつ安価なシステムを考えることもできる。図１に図示の実施例の場合、電話機５は第１に公衆電話網６に接続されておりかつ第２に送受器７を介する音響リンクを通して遠隔制御ボックス３に接続されている。回路網６内にダウンローディングセンターがあり、それは、受信機１のユーザからの呼び出しを受信したとき、同調装置メモリを遠隔にプログラムするためにこの受信機にデータを送信する。赤外線遠隔制御に対する音響的なモデムリンクの利点は、有線接続を全く必要としないことであるが、本発明は、遠隔制御部３と有線電話リンク接続されている実施例または同調装置を含んでいる受信機１と直接接続されている実施例もカバーするものである。音響的なリンクは、ユーザにとって敷設するのが容易でありかつテレビジョン受像機をそれぞれの新しい地域において取り付けるとき、一回だけ行わればよい。サクショングリップ式磁気カップラでも、電話により放射される漂遊磁界を用いた接続を行うことができる。
【００１０】
周波数シンセサイザテレビジョンにおける同調装置のプログラミングは、無線受信の場合とケーブル受信の場合とは同じではない。これら２つの選択事項を区別するために、ユーザが２つの異なったフリー呼び出し番号を選択することを求められるようにするか、またはダウンローディングセンターに対して唯一の呼び出し番号しかないときは、ユーザが適当な命令を与えるように依頼されるようにする。呼び出しが行われた地域は、電話網オペレータにより遠隔プログラミングセンターにおいて検出することができるが、このことが不可能であるならば、ユーザに自分の郵便番号を入力するように依頼することができる。
【００１１】
それに限定されない例として、図２には、アンテナ８またはケーブル網９に接続することができる周波数シンセサイザチューナ１０を有しているテレビジョン受像機１の回路が略示されている。チューナは、受信すべき周波数を検出するために２進数がロードされる整合レジスタを含んでいる。このレジスタは、データバスＤおよび制御バスＣに接続されている。これら２つのバスは他方において、マイクロプロセッサ１３、電気的に再プログラム可能なメモリ１４およびＲＡＭ／ＲＯＭメモリ１５に接続されている。アドレスバスＡおよび赤外線遠隔制御受信部２も設けられている。チューナ１０は、中間周波数における増幅後に、音声信号Ｓおよび複合映像信号を音声および画像チャネルに出力する。音声および画像チャネル増幅器は、チューナ１０および、ＳＹＮＣ同期信号、輝度信号Ｙおよび色信号Ｃを分離する回路１２に接続されている回路板１１に内蔵されている。図２には、これらの信号がどのように使用されるかは示されていない。遠隔制御受信部２は、電話機５に近接して配置されている遠隔制御ボックス３によって放射される変調された赤外線放射を受信する。送受器７は、マイクロホンＭに音響的に接続されており、マイクロホンは、電話網６におけるＬＬ線路によって伝送された可聴データを再伝送する。送受器は、遠隔制御ボックス３に送出すべき命令が準備されているとき、イヤホンにも接続されている。ダウンローディングセンターは、線路ＬＬに接続されている交換機１６、この交換機接続されているメモリ１７およびこのメモリ１７に記憶されている内容の機能としてメモリ１９に記憶されているデータセットの１つを選択するために使用される選択回路１８を含んでいる。
【００１２】
データセットは、受信地域を特徴付けるラベルの元に記憶されている受信すべきプログラムの数だけのデータ群を含んでいる。それぞれのプログラムラインは、１つの命令番号および後続のチューナ動作周波数を決める２進語を含んでいる。チャネル番号、および場合によっては、選ばれた地域においてこのチャネルにおいて伝送する局名を、これら２つ情報のアイテムに付加することができる。ＶＣＲのプログラミングを簡単化するために“ＧＥＭＳＴＡＲ”コードを付加することもできる。１つの地域に属しているすべてのプログラムラインは、メモリ１９における１頁を表している。この頁は、メモリ１７の内容の機能として選択されている。ユーザがテレビジョン受像機をプログラムしようとするとき、ユーザは、送受器７を遠隔制御ボックス３に接続しかつテレビジョンセットをスイッチオンした後、自分の電話５において任意の番号をダイヤルする。テレビジョンスクリーンにおけるディスプレイがユーザに、彼がなにをすべきかをガイドすることができる（例えば、彼にダイヤルすべき電話呼び出し番号を知らせる）。接続が行われたとき、交換機１６は、電話呼び出しの発信源を特定しかつ地域ラベルの１つに相応する語をメモリ１７にロードすることができる。それからセレクタ１８は、メモリ１７の内容によって選択されるメモリ頁１９に格納されているプログラミング命令セットを指定する。それからこの命令セットが送受器７のイヤホンに送出されかつ信号が、マイクロホンＭを介する変復調器（ＭＯＤＥＭ）を含んでいるボックス３に送信される。信号は、遠隔制御受信部２に送信されるようにフォーマット化されている。マイクロプロセッサ１３は、受信部２に到来したデータを電気的に再プログラミング可能なメモリ１４にロードし、そこでそれらは電話呼び出しが行われた地域用にチューナ１０を同調制御するために使用可能になる。
【００１３】
公衆電話網オペレータが呼び出し源についての何らの情報も提供しないとき、メモリ１７には、ユーザによって供給される情報をロードすることができる。それからセンターは音声合成または遠隔制御部におけるディスプレイによって質問を明確な形で形成することができる。例えば、ユーザに、キーパッドに彼の郵便コードを入力するか、または声を出して話しかつユーザがケーブルに接続されているか否かを述べるように依頼することができる。
【００１４】
ダウンローディングデータがメモリにロードされているとき、ユーザに、遠隔制御部またはテレビジョンスクリーンに現われるメッセージが通報される。
【００１５】
上述の実施例において、テレビジョン遠隔制御ボックスは、電話網と結合するように装備されている。本発明の範囲内で、テレビジョンまたはＶＣＲと直接結合することもできる。この場合、電話用ジャックを含んでいるアクセサリーおよびコネクタを、受信機内部バスに接続するようにすることができる。このアクセサリーは、電話網との交換プロトコルを考慮するために必要でありかつチューナプログラミング表を含んでいる電気的に再プログラミング可能なメモリとのデータ交換を管理するための入出力コントローラも含んでいる。
【００１６】
ダウンローディングに基づいてプログラミングシステムを使用するこの方法は特別容易でありかつ、次のステップを有している：
−受信機にプラグを差し込みかつ送受器を受信機とは独立している適当な装置に結合し、
−受信機ディスプレイに、使用の受信手段（アンテナまたはケーブル）に依存して呼び出すべき電話番号を表すメッセージが表示されるように切り換え、
−公衆の電話において呼び出しを行い、
−それから適当な情報をダウンロードし、
−“ダウンローディングの終了”メッセージが現れる、
−電話を切る。
【００１７】
【発明の効果】
ダウンローディングによるプログラミング方法の利点は、受信局の数が増大するとき生じる変化を考慮することができることである。
【００１８】
公衆電話網オペレータが呼び出し元についての何らの情報も提供しないとき、メモリ１７には、ユーザによって供給される情報をロードすることができる。それからセンターは音声合成または遠隔制御部におけるディスプレイによって質問を明確な形で形成することができる。例えば、ユーザに、キーパッドに彼の郵便コードを入力するか、または声を出して話しかつユーザがケーブルに接続されているか否かを述べるように依頼することができる。
【００１９】
受信機は時とともに変化するので、テレビジョン型式および製造年を特定するためにユーザに質問することが必要になる。しかしこの種の情報は、データを双方向に交換することができれば、ユーザによる動作なしにダウンローディングセンターによって得ることができる。
【００２０】
これまでの説明は、拘束されない実施例として示されたにすぎず、本発明の範囲内で別の選択例を実施することができることは勿論である。
【図面の簡単な説明】
【図１】本発明のダウンローディングシステムの概略図である。
【図２】図１のシステムの１実施例のブロック回路図である。
【符号の説明】
１  受信機、  ２  赤外線遠隔制御受信部、  ３  遠隔制御ボックス、  ５  電話機、  ６  公衆電話網、  ７  送受器、  １０  チューナ、  １１  中間周波増幅器、  １２  分離回路、  １４  再書き込み可能なメモリ、  １５  ＲＡＭ−ＲＯＭメモリ、  １６  交換機、  １７  バッファメモリ、  １８  セレクタ、  １９  データベース
【図１】
0003677306.tif 000002
【図２】
0003677306.tif 000003